(57)【要約】【課題】所定の処理中であっても、その処理と並行して預かり品の引渡処理を行う売上データ処理装置を提供する。【解決手段】クリーニングの売上データを処理するレジ端末は、クリーニング品に添付されたタグのＩＤ、または、このクリーニング品の引渡伝票に印字されたＩＤを読み取るバーコードスキャナ３２と、読み取ったＩＤに基づいて、このＩＤに対応するクリーニング品が引渡可能であるか否かを判別する判別部６１と、この判別部６１により、クリーニング品が引渡可能と判別した場合には、実行中の処理を中断して、このクリーニング品の引渡処理を行う引渡部６３と、この引渡部６３による引渡処理の完了後に、元の処理に復帰する復帰部６４とを備える。【選択図】図３
2019067438.tif 000002
【特許請求の範囲】
【請求項１】
預かり品に対するサービスの売上データを処理する売上データ処理装置であって、
預かり品の識別情報を読み取る読取手段と、
前記読取手段によって読み取った前記識別情報に基づいて、当該識別情報に対応する前記預かり品に対するサービスが完了しているか否かを判別する判別手段と、
前記判別手段により、前記預かり品が引渡可能と判別した場合には、実行中の処理を中断して、当該預かり品の引渡処理を行う引渡手段と、
前記引渡手段による引渡処理の完了後に、元の処理に復帰する復帰手段と、
を備えることを特徴とする売上データ処理装置。
【請求項２】
前記判別手段により、前記識別情報がいずれの預かり品にも対応付けられていないと判別した場合には、前記識別情報を新たに預かり品に対応付けて登録する登録手段を更に有する、
ことを特徴とする請求項１に記載の売上データ処理装置。
【請求項３】
前記登録手段は更に、登録した前記預かり品のための引渡伝票に、当該預かり品に新たに対応付けられた前記識別情報を印刷する、
ことを特徴とする請求項２に記載の売上データ処理装置。
【請求項４】
前記登録手段が前記引渡伝票に印刷する識別情報は、各預かり品に添付されたタグの識別情報と同一である、
ことを特徴とする請求項３に記載の売上データ処理装置。
【請求項５】
前記登録手段が前記引渡伝票に印刷する識別情報は、各預かり品に添付されたタグの識別情報に対応付けられている、
ことを特徴とする請求項３に記載の売上データ処理装置。
【請求項６】
前記登録手段が前記引渡伝票に印刷する識別情報は、各預かり品を預けた顧客の識別情報であり、当該顧客の識別情報は各預かり品に添付されたタグの識別情報に対応付けられている、
ことを特徴とする請求項３に記載の売上データ処理装置。
【請求項７】
前記引渡手段は、前記登録手段による処理中に前記読取手段が識別情報を読み取り前記判別手段により前記預かり品に対するサービスが完了していると判別した場合には、実行中の前記登録手段による処理を中断し、
前記復帰手段は、前記引渡手段による引渡処理の完了後に、前記登録手段による元の処理に復帰する、
ことを特徴とする請求項２ないし請求項６のいずれか１項に記載の売上データ処理装置。
【請求項８】
預かり品の識別情報を読取手段により読み取る読取ステップと、
前記読取手段によって読み取った前記識別情報に基づいて、当該識別情報に対応する前記預かり品に対するサービスが完了しているか否かを判別する判別ステップと、
前記判別ステップにより、前記預かり品に対するサービスが完了していると判別した場合には、実行中の処理を中断して、当該預かり品を引き渡す引渡ステップと、
前記引渡ステップによる引渡処理の完了後に、元の処理に復帰する復帰ステップと、
を有することを特徴とする売上データ処理方法。
【発明の詳細な説明】
【技術分野】
【０００１】
本発明は、売上データ処理装置および売上データ処理方法に関する。
【背景技術】
【０００２】
クリーニング店における業務は、クリーニングする衣服等を預かる預かり業務と、クリーニングが完了した衣服等の引渡業務の二つに大別できる。
預かり業務において衣服等を個品管理するには、バーコードが印刷されたタグ（以下、クリーニングタグともいう。）を使用する例が増えている。預かり業務にて店員は、顧客からクリーニング品である衣類等を預かると、レジ端末にて顧客名やクリーニング品の名称や洗濯コースや仕上方法など、このクリーニング品に係る各種情報を入力する。更に店員は、このクリーニング品にクリーニングタグを装着してバーコードスキャナで読み取り、このクリーニング品に係る各種情報に対応付ける。これにより、この衣服等をクリーニング品として個品管理することができる。また、引渡業務にて店員は、顧客からお預かり伝票を受け取り、この伝票に対応したクリーニング品を引渡し、引渡の有無を記録する。
【０００３】
クリーニングタグは、クリーニング品等にステープラ等で装着され、このクリーニング品と共に洗濯される。そのためクリーニングタグは、水に濡れても破れない紙に、水に濡れても消えないインクで印刷されて構成される。クリーニングタグには、一次元のバーコードが印刷されることが多いが、ＱＲコード（登録商標）などの二次元コードが印刷されてもよい。
【０００４】
特許文献１の要約書の課題には、「衣類のクリーニングの進捗状況を衣類のバーコード毎にＷｅｂサイトで提供する。」と記載され、その解決手段には、「ユーザ端末１０からの集配，配達要求時に、ユーザ別衣類情報データベース２３２に集配，配達依頼のステータスを登録するとともに、集配，配達通知を集配・配達者携帯端末３０に送信し、衣類の受付時，クリーニング済み衣類の受領時，引渡時に衣類のバーコードを読取り、前記データベースの該当バーコードのステータスをそれぞれ受付済，完了，引渡済にし、クリーニング工場からの集配時刻になったときに前記データベースの受付済のステータスを洗濯中に変更し、引渡時にユーザ端末１０から受信したユーザＩＤに対応して前記データベースに登録されている衣類でステータスが完了となっているバーコードを検索，表示し、ユーザ端末１０からのステータス閲覧要求受信時に、受信したユーザＩＤ対応のバーコード毎のステータスを抽出しユーザ端末１０に送信する。」と記載されている。
【０００５】
特許文献２の要約書の目的には、「本発明は、商品管理システムに関し、商品や顧客名などの商品情報および預り日などの商談情報を記憶すると共に顧客番号や商品番号などを印刷した記録媒体を商品に固着し、これをもとに受付業務や納品業務などを効率的に行なうことを目的とする。」と記載され、その構成には、「顧客からの商品の受け付け時に、記録媒体３が固着されていて記録媒体３のバーコードから読み取られた情報が入力されたことに対応して、一致するデータ情報１２の預り日を更新し、一方、記録媒体３が固着されていなくて顧客名（あるいは顧客番号）や商品番号が入力されたことに対応して、一致するデータ情報１２が見つかったときには預り日を更新し、見つからなかったときには新規にデータ情報１２を作成して記憶すると共に記録媒体３を印刷する受付処理９とを備え、この印刷された記録媒体３を商品に固着して管理するように構成する。」と記載されている。
【先行技術文献】
【特許文献】
【０００６】
【特許文献１】特開２００６−１６７２９５号公報
【特許文献２】特開平０７−１０５２７９号公報
【発明の概要】
【発明が解決しようとする課題】
【０００７】
近年、衣服に装着されたクリーニングタグは、預かった衣服等の在庫管理だけでなく、預かりから引き渡しに至るまでの各工程の管理に利用されるようになっている。つまり、衣服等の引渡業務においても、クリーニングタグをバーコードスキャナで読み取ることが要請されている。これにより顧客の来店時間を集計し、衣服の仕上がりから引き渡しまでの時間を集計することができる。
【０００８】
この引渡業務にて、クリーニングタグをバーコードスキャナで読み取るには、バーコードスキャナを接続したコンピュータやハンディターミナルシステムを新たに導入することが考えられるが、追加投資となり店舗の負担となる。これに対してバーコードスキャナを接続したレジ端末を、預かり業務と引渡業務とで共通利用する場合には、新たな投資を抑制することができる。
ただし、レジ端末を引渡業務と預かり業務の両方で利用する場合には、顧客を待たせるおそれがある。預かり業務の場合には、レジ端末でクリーニング品の名称や洗濯コースや仕上方法を入力するだけでなく、クリーニング品の状況を確認してクリーニングタグを装着するなど、レジ端末としての処理以外の業務が多く発生する。このときレジ端末は実際には稼働していないにも関わらず、引渡業務の処理に使えないという状況が発生する。
【０００９】
また、このような状況は、クリーニング品を預かって洗濯・仕上げを実施するクリーニング店に限られない。例えば、写真フィルムを預かって現像やプリントを実施するＤＰＥ（Development Printing Enlargement）店でも同様な状況が発生しうる。つまり、顧客の注文に応じて預かり品に所定のサービスを実施し、このサービスが完了した預かり品を顧客に引き渡す業態において共通する状況である。
【００１０】
本発明の課題は、所定の処理中であっても、その処理と並行して預かり品の引渡処理を行うことである。
【課題を解決するための手段】
【００１１】
上記課題を解決するため、本発明の売上データ処理装置は、
預かり品に対するサービスの売上データを処理する売上データ処理装置であって、
預かり品の識別情報を読み取る読取手段と、
前記読取手段によって読み取った前記識別情報に基づいて、当該識別情報に対応する前記預かり品に対するサービスが完了しているか否かを判別する判別手段と、
前記判別手段により、前記預かり品が引渡可能と判別した場合には、実行中の処理を中断して、当該預かり品の引渡処理を行う引渡手段と、
前記引渡手段による引渡処理の完了後に、元の処理に復帰する復帰手段と、
を備えることを特徴とする。
【発明の効果】
【００１２】
本発明によれば、所定の処理中であっても、その処理と並行して預かり品の引渡処理を行うことができる。
【図面の簡単な説明】
【００１３】
【図１】本実施形態におけるレジ端末を含むクリーニング管理システムを示す概略の構成図である。
【図２】本実施形態におけるクリーニング品状態管理データベースの構成を示す図である。
【図３】レジ端末のブロック構成図である。
【図４】クリーニングタグの一例を示す図である。
【図５】お預かり伝票の一例を示す図である。
【図６】登録処理と引渡処理とを示すフローチャートである。
【図７】預かり品登録画面を示す図である。
【図８】引渡在庫確認画面を示す図である。
【図９】在庫引渡処理画面を示す図である。
【図１０】引渡処理完了通知画面を示す図である。
【図１１】通知消去処理画面を示す図である。
【図１２】非在庫通知画面を示す図である。
【発明を実施するための形態】
【００１４】
以降、本発明を実施するための形態を、各図を参照して詳細に説明する。
１台（または顧客の来店数に対して少ない台数）のレジを使って、預かりと引き渡しの両方の処理を行う場合に、預かり業務にレジを使っていない合間の時間を利用して引渡処理を完了させ、かつ預かり業務を円滑に行えるようにする方法を以下に示す。なお、本実施形態は、クリーニング店の業務を例に説明しているが、これに限られない。本発明は、顧客から預かり品を預かって所定のサービスを実施し、このサービスが完了した預かり品を顧客に引き渡す業態において、共通に適用可能である。
【００１５】
図１は、本実施形態におけるレジ端末２を含むクリーニング管理システム１を示す概略の構成図である。
レジ端末２は、預かり処理と引渡処理の両方を実施するものであり、ＣＰＵ（Central Processing Umit）２１およびＲＯＭ（Read Only Memory）２１ａ、ＲＡＭ（Random Access Memory）２１ｂ、表示部２２、スピーカ２３、プリンタ２４、タッチパネル２５、ボタン２６、インタフェース２７、通信部２８を備える。このレジ端末２と、サーバ４と、工場端末５とは、クリーニング管理システム１を構成する。
【００１６】
ＣＰＵ２１は、中央処理装置であり、例えばＲＯＭ２１ａに格納されたソフトウェアプログラムなどを読み取って実行することにより、各制御手段などを具現化する。
ＲＯＭ２１ａは、例えばＥＥＰＲＯＭ（Electrically Erasable Programmable Read-Only Memory）などの不揮発性メモリであり、ＣＰＵ２１が実行するソフトウェアプログラムや各種データなどを格納する。
ＲＡＭ２１ｂは、例えばＤＲＡＭ（Dynamic RAM）などの揮発性メモリであり、ＣＰＵ２１が実行するプログラムに係る各種変数や各種データなどを格納する。
【００１７】
表示部２２は、例えば液晶パネルなどであり、文字や画像や動画などの表示情報を液晶パネル上に表示する。この表示部２２の表面には、タッチパネル２５の透明電極が重ねて配設される。
タッチパネル２５は、例えば透明電極で構成され、表示部２２の上層に貼り付けられている。タッチパネル２５は、ポインティングデバイスの一種であり、ユーザが指などでタッチした画面上の位置を検知する。
【００１８】
スピーカ２３は、警告音や音声などを報知するものである。
プリンタ２４は、例えば感熱プリンタであり、例えばレシートやお預かり票やクーポン券をロール状の感熱紙に印刷する。このプリンタ２４は更に、ジャーナル情報を印刷してもよい。
ボタン２６は、例えばこのレジ端末２の電源をオンオフしたり、文字や数字を入力したりするものである。
【００１９】
インタフェース２７は、外部機器と接続する入出力インタフェースであり、例えばＵＳＢ（Universal Serial Bus）インタフェースやシリアルインタフェースなどである。
通信部２８は、ネットワークインタフェースコントローラでありネットワーク９と接続される。ＣＰＵ２１は、この通信部２８によりサーバ４などと通信することができる。
【００２０】
このレジ端末２には、カードリーダ３１、バーコードスキャナ３２、ドロア３３、客用表示装置３４、ポイント印刷装置３５が接続されている。
カードリーダ３１は、例えば磁気カードリーダやスマートカードリーダであり、顧客の会員証やクレジットカードなどを読み取るものである。なお会員証は、会員番号のバーコードを印刷し、後記するバーコードスキャナ３２でバーコードの会員番号を読み取るようにしてもよい。
【００２１】
バーコードスキャナ３２は、クリーニング品に取り付けられたクリーニングタグ８２（図４参照）や、引渡伝票からバーコードを読み取るものである。
ドロア３３は、現金を保管する引き出しである。
客用表示装置３４は、例えば顧客に向けられた液晶表示装置であり、小計金額や合計金額などを表示するものである。
ポイント印刷装置３５は、顧客のポイントカードなどを印刷するプリンタである。
【００２２】
このレジ端末２は、ネットワーク９を介してサーバ４や、クリーニング工場に設置された工場端末５と通信可能に接続される。
サーバ４は、クリーニング品の状態が格納されるクリーニング品状態管理データベース４１と、顧客の各種情報が格納される顧客管理データベース４２とを備えている。なお、これらクリーニング品状態管理データベース４１と顧客管理データベース４２とは、レジ端末２が備えていてもよい。なお、各図面ではデータベースのことを単に、「ＤＢ」と省略記載している。
工場端末５は、クリーニング品の進捗に応じてクリーニング品状態管理データベース４１を更新する。
【００２３】
なお、この構成は一例であり、他にも機器が接続されていてもよく、また内部機能として実現されているものが、インタフェース２７や通信部２８を介して外部装置で実現されていてもよい。
また、クリーニング品状態管理データベース４１は、工場端末５により更新されるほか、預かり日からの経過日時と標準工程スケジュールに基づいて、各クリーニング品の状態が更新されてもよい。
【００２４】
図２は、本実施形態におけるクリーニング品状態管理データベース４１の構成を示す図である。図２の説明にて、適宜図１を参照する。
クリーニング品状態管理データベース４１は、顧客から預かったクリーニング品の状態を管理するデータベースである。店舗のレジ端末２は、顧客から預かったクリーニング品を登録する度にサーバ４に新たなレコードを追加し、このクリーニング品の情報を登録する。クリーニング品状態管理データベース４１は、顧客ＩＤ欄４１ａ、伝票ＩＤ欄４１ｂ、タグＩＤ欄４１ｃ、名称欄４１ｄ、店舗欄４１ｅ、場所欄４１ｆ、状態欄４１ｇ、預かり日欄４１ｈ、仕上日欄４１ｉ、引渡日欄４１ｊの各項目を含んで構成される。
【００２５】
顧客ＩＤ欄４１ａは、このクリーニング品を預けた顧客の識別情報を格納する欄である。この顧客の識別情報で顧客管理データベース４２を参照することにより、顧客に関する情報、例えば氏名や連絡先などを取得することができる。
伝票ＩＤ欄４１ｂは、このクリーニング品を預かったときに発行したお預かり伝票８１（図５参照）の識別番号を格納する欄である。お預かり伝票８１の識別番号は、このレジ端末２によって一意な番号が生成され、このお預かり伝票８１にバーコードで印字される。
タグＩＤ欄４１ｃは、このクリーニング品に装着したタグの識別番号を格納する欄である。タグの識別番号は、レジ端末２のバーコードスキャナ３２によって読み取られて格納される。
【００２６】
名称欄４１ｄは、このクリーニング品の名称を格納する欄である。クリーニング品の名称は、レジ端末２によって手作業で入力される。
店舗欄４１ｅは、このクリーニング品を預かった店舗の名称を格納する欄である。店舗の名称は、予め当該レジ端末２に設定されていてもよく、または不図示の店舗データベースに設定されていてもよい。
場所欄４１ｆは、このクリーニング品の現在の場所情報を格納する欄であり、店舗のレジ端末２および工場端末５によって逐次更新される。
状態欄４１ｇは、このクリーニング品の現在の状態情報を格納する欄であり、店舗のレジ端末２および工場端末５によって逐次更新される。
【００２７】
預かり日欄４１ｈは、このクリーニング品を預かった日時を格納する欄である。図２では簡略化して月日のみを示しているが、実際には年月日と時分とが格納される。
仕上日欄４１ｉは、このクリーニング品が仕上がる予定日を格納する欄である。
引渡日欄４１ｊは、このクリーニング品を顧客に引き渡した日時を格納する欄である。
【００２８】
図３は、レジ端末２のブロック図である。
レジ端末２は、判別部６１および、登録部６２、引渡部６３、復帰部６４を含んで構成される。これら判別部６１および、登録部６２、引渡部６３、復帰部６４は、ＣＰＵ２１がソフトウェアプログラムを実行することにより具現化される。これら各部は、クリーニング品状態管理データベース４１や顧客管理データベース４２を適宜参照する。
【００２９】
ここでバーコードスキャナ３２は、クリーニング品に添付されたクリーニングタグ８２のバーコード、またはお預かり伝票８１に印字されたバーコードを読み取り、判別部６１に出力する。
判別部６１は、バーコードスキャナ３２によって読み取ったバーコードの識別情報に基づいて、この識別情報に対応するクリーニング品が存在するか否かと、このクリーニング品に対する洗濯と仕上げが完了しており、よって引渡可能であるか否かを判別する。
登録部６２は、判別部６１によりバーコードの識別情報がクリーニング品に対応していないときに、この識別情報にかかるクリーニング品を、この識別情報に対応させて新たに登録する。
【００３０】
引渡部６３は、判別部６１によりクリーニング品に対する洗濯と仕上げが完了していると判別した場合に、実行中の処理を中断して、このクリーニング品の引渡処理を行う。
復帰部６４は、引渡部６３による引渡処理の完了後に、元の処理に復帰する。
このように構成することで、クリーニング品の預かり処理中であっても、その処理と並行してクリーニング品の引渡処理を行うことが可能となる。
【００３１】
図４は、クリーニングタグ８２の一例を示す図である。
クリーニングタグ８２は、例えば水に濡れても破れない紙に、水に濡れても消えないインクで印刷されて構成される。クリーニングタグ８２は、衣服等に装着されて工場に送られ、このクリーニング品と共に洗濯される。工場や店舗では、このクリーニングタグ８２をスキャンしてクリーニング品状態管理データベース４１などと照合することにより、クリーニング品を管理する。
クリーニングタグ８２には、一次元のバーコード８２１が印刷されている。
【００３２】
図５は、お預かり伝票８１の一例を示す図である。
お預かり伝票８１は、預かり業務にて発行され、引渡業務にて顧客に引き渡すクリーニング品を特定する。お預かり伝票８１には、伝票に関するバーコード８１１と、クリーニングタグ８２に関するバーコード８１２，８１３とが印刷され、更に顧客情報とクリーニング品情報とが印刷される。引渡業務にてバーコード８１１をスキャンすることにより、このお預かり伝票８１のクリーニング品が店舗に在庫しているか否かを容易に判断できる。また、クリーニングタグ８２に関するバーコード８１２，８１３をスキャンすることにより、これらクリーニングタグ８２に対応付けられたクリーニング品が店舗に在庫しているか否かを容易に判断できる。
【００３３】
図６は、登録処理と引渡処理とを示すフローチャートである。
ここでは、店員が顧客に対して預かり業務を開始すると、図６の処理が開始する。
レジ端末２は、預かり業務を始める際、ステップＳ１０にて顧客が会員であるか否かを判断し、顧客が会員であるならば（ステップＳ１０→Ｙｅｓ）、顧客の会員情報の入力を受け付けた（ステップＳ１１）のち、預かり業務に係る商品登録処理（ステップＳ１２〜Ｓ１７）に進む。顧客が非会員ならば（ステップＳ１０→Ｎｏ）、そのまま商品登録処理に進む。
【００３４】
《商品登録処理》
商品登録処理にてレジ端末２は、当初ステップＳ１２にて入力待ち状態となり、後記する図７の登録画面７が表示される。ここで店員は、タッチパネル２５やボタン２６によりクリーニング品の名称、洗濯コース、仕上方法などを入力し、クリーニング品に装着したクリーニングタグ８２をバーコードスキャナ３２で読ませて入力する。
【００３５】
レジ端末２の判別部６１は、入力された識別情報をクリーニング品状態管理データベース４１と照合し、引渡品に関する識別情報であるか否かを判断する（ステップＳ１３）。
入力された識別情報が引渡品に関する識別情報であったならば（ステップＳ１３→Ｙｅｓ）、レジ端末２は、引渡部６３により後記する商品引渡処理を実施したのちに、ステップＳ１２の入力待ち処理に戻る。これに対して入力された識別情報が引渡品に関する識別情報ではなかったならば（ステップＳ１３→Ｎｏ）、レジ端末２は、登録部６２により、入力された識別情報をクリーニング品と対応付けて登録する（ステップＳ１４）。
【００３６】
更にレジ端末２は、次の商品が入力されたか否かを判断し（ステップＳ１５）、次の商品が入力されたならば（ステップＳ１５→Ｙｅｓ）、ステップＳ１２に戻り、商品登録処理を繰り返す。
店員が商品登録を全て完了したならば、ステップＳ１５にて次の商品が入力されないので（ステップＳ１５→Ｎｏ）、レジ端末２の登録部６２は、ステップＳ１６の会計処理に進む。
ステップＳ１６の会計処理では、店員は、割引処理や代金の預かり、預かり金の登録などを行う。このレジ端末２の登録部６２は、会計処理を行う。つまり登録部６２は、合計金額を確定して表示部２２やスピーカ２３にて報知し、確認画面を表示して取引を確定させる。なお、レジ端末２は、顧客からお預かりしたクリーニング品に応じて、クーポンを発行してもよい。
会計処理が完了したら、レジ端末２の登録部６２は、お預かり伝票８１を印刷して（ステップＳ１７）商品登録処理を完了し、図６の処理を終了する。これにより店員は、顧客の商品を登録することができる。
【００３７】
《商品引渡処理》
本実施形態では、預かり業務の待ち時間に、顧客に引き渡すクリーニング品（以下、引渡品ともいう）のクリーニングタグ８２のバーコード８２１、またはお預かり伝票８１のバーコード８１１，８１２，８１３を、レジ端末２に接続されたバーコードスキャナ３２によって読み取る。つまりレジ端末２は、前記したステップＳ１２にて、引渡品に関するバーコードを読み取ると、後記する図８の引渡在庫確認画面７５ａを登録画面７の上層に表示したのち、これが引渡品に関する識別情報であると判断し（ステップＳ１３→Ｙｅｓ）、ステップＳ２０〜Ｓ２８の商品引渡処理に進む。
レジ端末２は、商品引渡処理に移行すると共に商品登録処理を中断し、それまでの商品登録情報をＲＡＭ２１ｂなどに待避する（ステップＳ２０）。
【００３８】
このレジ端末２の引渡部６３は、スキャンされたバーコードの情報から店内の在庫を確認する（ステップＳ２１）。ここで在庫とは、クリーニングであればクリーニング済みで店に保管されている衣服等を示す。この在庫の情報は、クリーニングが済んだ衣服等を検品するなどで、事前にサーバ４のクリーニング品状態管理データベース４１の場所欄４１ｆと状態欄４１ｇの組み合わせに格納されている。レジ端末２は、通信部２８によりサーバ４にアクセスしてクリーニング品状態管理データベース４１を検索し、在庫を確認する。
【００３９】
次に、ステップＳ２２にてレジ端末２の引渡部６３は、店舗内にバーコードと関連する在庫が存在するか否かを判断する。店舗内にバーコードと関連する在庫が存在しないならば（ステップＳ２２→Ｎｏ）、引渡部６３は、非在庫通知処理（ステップＳ２６）を実施して、在庫が無いことを表示部２２のメッセージ（図１２参照）やスピーカ２３の音声出力により店員に報知し、ステップＳ２７の通知消去処理に進む。店内に在庫が無い状態とは、既に引渡済みの衣服に係るお預かり伝票８１を複数回スキャンした状態や、衣服のクリーニングが完了していない状態などをいう。
【００４０】
更にレジ端末２の引渡部６３は、店舗内にバーコードと関連する在庫が存在するならば（ステップＳ２２→Ｙｅｓ）、在庫の存在を通知する在庫通知処理（ステップＳ２３）と、この在庫の引渡にかかる引渡処理（ステップＳ２４）とを実施する。店員は、お預かり伝票８１をスキャンした際に、レジ端末２により在庫の存在が通知されると（図９参照）、店内の在庫を探して顧客に引き渡す。更に店員は、クリーニング品のクリーニングタグ８２をスキャンした際に、レジ端末２により在庫の存在が通知されると、そのクリーニング品を顧客に引き渡す。
【００４１】
引渡処理にてレジ端末２は、例えば引渡される在庫に係る場所欄４１ｆを空白、状態欄４１ｇを引渡済に設定し、更に引渡日欄４１ｊにその日時を記録する。なおレジ端末２は、このクリーニング品の引渡に対してクーポンが生じる場合には、そのクーポンを印刷してもよい。
この引渡処理が完了したら、レジ端末２は、表示部２２の画面（図１０参照）やスピーカ２３の音声などで引渡完了を報知したのち、ステップＳ２７の通知消去処理に進む。
【００４２】
通知消去処理にて、レジ端末２は、例えば画面に表示された「ＯＫ」ボタン７５２（図１０参照）がタッチされたときに、画面上のメッセージを消去し、スピーカ２３の音声出力を停止する（ステップＳ２７）。また通知消去処理にてレジ端末２は、所定時間が経過したときに、画面上のメッセージを消去したり、スピーカ２３の音声出力を停止してもよい。
【００４３】
通知消去処理が完了したならば、レジ端末２は復帰部６４により、登録処理復帰を実行し（ステップＳ２８）、ステップＳ１２の処理に戻る。この登録処理復帰にて、レジ端末２の復帰部６４は、元の処理に復帰するというメッセージ（図１１参照）を表示部２２に表示したのち消去し、登録処理中断で退避した商品登録処理のデータをＲＡＭ２１ｂなどから展開して登録処理中断直前の状態に戻す。
【００４４】
図７は、預かり品の登録画面７を示す図である。
店員が預かり業務を実行し、前記した図６の商品登録処理が実行されると、登録画面７が表示される。
この登録画面７は、左上に合計欄７１が、その下側に個別品名欄７２が配置され、更に右上に顧客欄７３が、その下側に預かり品指定ボタン群７４が配置される。
【００４５】
合計欄７１には、この取引に係る売上げの合計と消費税とが表示される。
個別品名欄７２には、この取引に係る個別の品名、個数、金額、日時が表示され、更に品名欄の下には洗濯コースや仕上方法が表示される。
顧客欄７３は、この取引にかかる顧客の情報が表示される。
預かり品指定ボタン群７４は、預かり品個々の品名や洗濯コースや仕上方法を指定するボタン群である。この登録画面７が表示されているときに、例えばお預かり伝票８１をスキャンすると、商品引渡処理（図６参照）に遷移する。
【００４６】
図８は、引渡在庫確認画面７５ａを示す図である。
第１の店員が預かり業務を実行中に、第２の店員が引渡業務にかかるお預かり伝票８１をスキャンすると、この引渡在庫確認画面７５ａが表示される。引渡在庫確認画面７５ａは、商品登録処理に割り込んで、この登録画面７の上層に表示される。
なお、レジ端末２がサーバ４のクリーニング品状態管理データベース４１を検索する待ち時間には、待ち状態表示７５１が表示される。
【００４７】
図９は、在庫引渡処理画面７５ｂを示す図である。
図８に示した引渡在庫確認画面７５ａが表示されたのちに引渡在庫が発見されたならば、図９に示す在庫引渡処理画面７５ｂに遷移する。この表示により店員は、店舗内の在庫を探して顧客に引き渡す。
【００４８】
図１０は、引渡処理完了通知画面７５ｃを示す図である。
図９に示す在庫引渡処理画面７５ｂが表示されたのち、レジ端末２が引渡処理を実行したならば、図１０に示す引渡処理完了通知画面７５ｃに遷移する。店員は、「ＯＫ」ボタン７５２をタッチすることで、図１１の画面に遷移する。
【００４９】
図１１は、通知消去処理画面７５ｄを示す図である。
通知消去処理画面７５ｄは、商品引渡処理を終了して元の画面の遷移するときの画面てある。この通知消去処理画面７５ｄの表示後、所定期間が経過すると通知消去処理画面７５ｄが消え、もとの登録画面７に復帰する。これにより店員は、タッチディスプレイを操作することなしに引渡処理を行うことができる。
【００５０】
図１２は、非在庫通知画面７５ｅを示す図である。
この非在庫通知画面７５ｅは、クリーニング品が洗濯中であることを報知している。この非在庫通知画面７５ｅは、図８に示した引渡在庫確認画面７５ａが表示されたのち、店舗内に在庫が発見できないときに表示される。
【００５１】
本実施形態のレジ端末２は、バーコード管理されたクリーニング品の預かり処理と引渡処理を同一のレジ端末２で行う場合に、レジ端末２でスキャンされたバーコードの内容に応じて、預かり処理と引渡処理を自動で判別し、引渡処理の場合には預かり処理の中断と引渡処理への遷移を自動で行い、引渡処理が完了したらまた自動で中断された預かり処理に戻る。これにより、クリーニングのカウンタ業務におけるレジ端末２の利用効率を高める。
【００５２】
預かり処理のレジ端末２の空き時間を利用して、引渡処理を簡単に操作できる。これにより、レジ端末２の稼働率が上がり、少ない台数のレジ端末２でも預かり業務と引渡業務とを分担できる。また、店員は、引渡処理を短時間に行えるので、顧客の待ち時間を少なくすることができる。専用のハンディターミナルなどが不要でシステム導入費用が低減できる。
【００５３】
本実施形態では商品登録時に割り込みを行う処理を記載しているが、商品登録などの処理を行わない場合であれば、引渡処理用のモードに切り替えて引渡処理を実施するものとする。また、商品登録中の割り込みに限られず、顧客管理処理、勤怠処理、売上データ集計処理、顧客分析処理、開店・閉店処理、電子ジャーナル処理などの実行中において，引渡処理用のモードに切り替えて引渡処理を実施し、その後に元の処理に復帰する。
（変形例）
本発明は、上記実施形態に限定されることなく、本発明の趣旨を逸脱しない範囲で、変更実施が可能であり、例えば、次の（ａ）〜（ｃ）のようなものがある。
（ａ）  上記実施形態にて各顧客の会員情報の登録タイミングは、商品登録処理の初回でなくともよく、限定されない。
（ｂ）  上記実施形態では、サーバ４のクリーニング品状態管理データベース４１をレジ端末２が検索しているが、これに限られずレジ端末２が、クリーニング品状態管理データベース４１を格納する形態であってもよい。
（ｃ）  本発明は、クリーニング店のクリーニング品の預かりと引き渡しに限られず、仕立て屋の仕立て品の注文と引き渡し、ＤＰＥ店のフィルムの預かりと写真の引き渡しなどにも適用できる。つまり、顧客の注文に応じて預かり品に所定のサービスを実施し、このサービスが完了した預かり品を顧客に引き渡す業態に対して、本発明を適用することができる。
【００５４】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
預かり品に対するサービスの売上データを処理する売上データ処理装置であって、
預かり品の識別情報を読み取る読取手段と、
前記読取手段によって読み取った前記識別情報に基づいて、当該識別情報に対応する前記預かり品に対するサービスが完了しているか否かを判別する判別手段と、
前記判別手段により、前記預かり品が引渡可能と判別した場合には、実行中の処理を中断して、当該預かり品の引渡処理を行う引渡手段と、
前記引渡手段による引渡処理の完了後に、元の処理に復帰する復帰手段と、
を備えることを特徴とする売上データ処理装置。
＜請求項２＞
前記判別手段により、前記識別情報がいずれの預かり品にも対応付けられていないと判別した場合には、前記識別情報を新たに預かり品に対応付けて登録する登録手段を更に有する、
ことを特徴とする請求項１に記載の売上データ処理装置。
＜請求項３＞
前記登録手段は更に、登録した前記預かり品のための引渡伝票に、当該預かり品に新たに対応付けられた前記識別情報を印刷する、
ことを特徴とする請求項２に記載の売上データ処理装置。
＜請求項４＞
前記登録手段が前記引渡伝票に印刷する識別情報は、各預かり品に添付されたタグの識別情報と同一である、
ことを特徴とする請求項３に記載の売上データ処理装置。
＜請求項５＞
前記登録手段が前記引渡伝票に印刷する識別情報は、各預かり品に添付されたタグの識別情報に対応付けられている、
ことを特徴とする請求項３に記載の売上データ処理装置。
＜請求項６＞
前記登録手段が前記引渡伝票に印刷する識別情報は、各預かり品を預けた顧客の識別情報であり、当該顧客の識別情報は各預かり品に添付されたタグの識別情報に対応付けられている、
ことを特徴とする請求項３に記載の売上データ処理装置。
＜請求項７＞
前記引渡手段は、前記登録手段による処理中に前記読取手段が識別情報を読み取り前記判別手段により前記預かり品に対するサービスが完了していると判別した場合には、実行中の前記登録手段による処理を中断し、
前記復帰手段は、前記引渡手段による引渡処理の完了後に、前記登録手段による元の処理に復帰する、
ことを特徴とする請求項２ないし請求項６のいずれか１項に記載の売上データ処理装置。
＜請求項８＞
預かり品の識別情報を読取手段により読み取る読取ステップと、
前記読取手段によって読み取った前記識別情報に基づいて、当該識別情報に対応する前記預かり品に対するサービスが完了しているか否かを判別する判別ステップと、
前記判別ステップにより、前記預かり品に対するサービスが完了していると判別した場合には、実行中の処理を中断して、当該預かり品を引き渡す引渡ステップと、
前記引渡ステップによる引渡処理の完了後に、元の処理に復帰する復帰ステップと、
を有することを特徴とする売上データ処理方法。
【符号の説明】
【００５５】
１  クリーニング管理システム
２  レジ端末
２１  ＣＰＵ
２１ａ  ＲＯＭ
２１ｂ  ＲＡＭ
２２  表示部
２３  スピーカ
２４  プリンタ
２５  タッチパネル
２６  ボタン
２８  通信部
３２  バーコードスキャナ
３３  ドロア
４  サーバ
４１  クリーニング品状態管理データベース
４２  顧客管理データベース
５  工場端末
６１  判別部
６２  登録部
６３  引渡部
６４  復帰部
７  登録画面
７１  合計欄
７２  個別品名欄
７３  顧客欄
７４  預かり品指定ボタン群
７５ａ  引渡在庫確認画面
７５ｂ  在庫引渡処理画面
７５ｃ  引渡処理完了通知画面
７５ｄ  通知消去処理画面
７５ｅ  非在庫通知画面
７５１  待ち状態表示
８１  お預かり伝票
８１１〜８１３  バーコード
８２  クリーニングタグ
８２１  バーコード
９  ネットワーク
【図１】
2019067438.tif 000003
【図２】
2019067438.tif 000004
【図３】
2019067438.tif 000005
【図４】
2019067438.tif 000006
【図５】
2019067438.tif 000007
【図６】
2019067438.tif 000008
【図７】
2019067438.tif 000009
【図８】
2019067438.tif 000010
【図９】
2019067438.tif 000011
【図１０】
2019067438.tif 000012
【図１１】
2019067438.tif 000013
【図１２】
2019067438.tif 000014
【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
預かり品を登録するための預かり処理と、当該登録された預かり品を引き渡すための引渡処理と、のどちらか一方を選択的に実行する実行手段と、
所定の識別情報を読み取る読取手段と、
を備え、
前記実行手段は、前記預かり処理の実行中において、前記読取手段により読み取られた識別情報が所定の預かり品に対応する引渡情報であるならば、当該所定の預かり品を引き渡すための引渡処理を前記預かり処理よりも優先的に実行する、
ことを特徴とする売上データ処理装置。
【請求項２】
前記実行手段は、前記預かり処理の実行中において、前記読取手段により読み取られた識別情報が所定の預かり品に対応する引渡情報であるならば、前記預かり処理を中断して当該所定の預かり品を引き渡すための引渡処理を実行する、
ことを特徴とする請求項１に記載の売上データ処理装置。
【請求項３】
前記実行手段は、前記引渡処理が完了したならば、中断した前記預かり処理を再開する、
ことを特徴とする請求項２に記載の売上データ処理装置。
【請求項４】
前記実行手段により実行される処理に係る画面を表示部に表示させる表示制御手段を備え、
前記表示制御手段は、前記預かり処理の実行中において、前記読取手段により読み取られた識別情報が所定の預かり品に対応する引渡情報であるならば、表示中の前記預かり処理に係る画面に重畳して前記引渡処理に係る画面を表示させる、
ことを特徴とする請求項１から３の何れか一項に記載の売上データ処理装置。
【請求項５】
前記実行手段は、前記預かり処理の実行中において、前記読取手段により読み取られた識別情報が所定の預かり品に対応する引渡情報でないならば、当該識別情報を新規預かり品に対応付けるべき引渡情報として前記預かり処理を続行する、
ことを特徴とする請求項１または２に記載の売上データ処理装置。
【請求項６】
コンピュータを、
預かり品を登録するための預かり処理と、当該登録された預かり品を引き渡すための引渡処理と、のどちらか一方を選択的に実行する実行手段、
所定の識別情報を読み取る読取手段、
として機能させ、
前記実行手段は、前記預かり処理の実行中において、前記読取手段により読み取られた識別情報が所定の預かり品に対応する引渡情報であるならば、当該所定の預かり品を引き渡すための引渡処理を前記預かり処理よりも優先的に実行する、
ことを特徴とするプログラム。
【手続補正３】
【補正対象書類名】明細書
【補正対象項目名】０００１
【補正方法】変更
【補正の内容】
【０００１】
本発明は、売上データ処理装置およびプログラムに関する。
【手続補正４】
【補正対象書類名】明細書
【補正対象項目名】００１０
【補正方法】変更
【補正の内容】
【００１０】
本発明の課題は、所定の処理中であっても、預かり品の引渡処理を容易に実行することである。
【手続補正５】
【補正対象書類名】明細書
【補正対象項目名】００１１
【補正方法】変更
【補正の内容】
【００１１】
上記課題を解決するため、本発明の売上データ処理装置は、
預かり品を登録するための預かり処理と、当該登録された預かり品を引き渡すための引渡処理と、のどちらか一方を選択的に実行する実行手段と、
所定の識別情報を読み取る読取手段と、
を備え、
前記実行手段は、前記預かり処理の実行中において、前記読取手段により読み取られた識別情報が所定の預かり品に対応する引渡情報であるならば、当該所定の預かり品を引き渡すための引渡処理を前記預かり処理よりも優先的に実行する、
ことを特徴とする。
【手続補正６】
【補正対象書類名】明細書
【補正対象項目名】００１２
【補正方法】変更
【補正の内容】
【００１２】
本発明によれば、所定の処理中であっても、預かり品の引渡処理を容易に実行することができる。